(57)【特許請求の範囲】
【請求項１】
アクセスネットワークの位置情報を通知する方法であって、
モバイルアクセスゲートウェイ（ＭＡＧ）が回路識別子を、プロキシモバイルＩＰｖ６プロトコル（ＰＭＩＰｖ６）のプロキシバインディング更新メッセージにキャリーしてローカルモビリティアンカー（ＬＭＡ）に送信するステップと、
前記ＬＭＡがプロキシバインディング更新メッセージにキャリーされた回路識別子を取得し、取得された回路識別子を、ポリシーシステム及び/または課金システムに送信するステップと、
前記ポリシーシステムが前記回路識別子に基づいて対応するポリシールールを策定または配置し、前記課金システムは前記回路識別子に基づいて課金を行うステップと、
本側汎用パケット無線サービストンネリングプロトコル（ＧＴＰ）ピアが回路識別子を、セッション確立要求メッセージ、ベアラ変更要求メッセージまたはセッション削除要求メッセージにキャリーして相手側ＧＴＰピアに送信するステップと、
前記相手側ＧＴＰピアがセッション確立要求メッセージ、ベアラ変更要求メッセージまたはセッション削除要求メッセージにキャリーされた回路識別子を取得し、取得された回路識別子を、ポリシーシステム及び/または課金システムに送信するステップと、
前記ポリシーシステムが前記回路識別子に基づいて対応するポリシールールを策定または配置し、前記課金システムは前記回路識別子に基づいて課金を行うステップと、を含むことを特徴とする方法。
【請求項２】
ＭＡＧが回路識別子を、プロキシバインディング更新メッセージにキャリーしてＬＭＡに送信した後、当該方法は、更に、
前記ＬＭＡがプロキシバインディング更新メッセージにキャリーされた回路識別子を取得し、取得された回路識別子を、プロキシバインディング確認（ＰＢＡ）メッセージにキャリーして前記ＭＡＧに返すステップを含むことを特徴とする
請求項１に記載の方法。
【請求項３】
本側ＧＴＰピアが回路識別子を、セッション確立要求メッセージ、ベアラ変更要求メッセージまたはセッション削除要求メッセージにキャリーして相手側ＧＴＰピアに送信した後、当該方法は、更に、
前記相手側ＧＴＰピアがセッション確立要求メッセージ、ベアラ変更要求メッセージまたはセッション削除要求メッセージにキャリーされた回路識別子を取得し、取得された回路識別子を、対応するセッション確立応答メッセージ、ベアラ変更応答メッセージまたはセッション削除応答メッセージにキャリーして前記本側ＧＴＰピアに返すステップを含むことを特徴とする
請求項１に記載の方法。
【請求項４】
プロキシモバイルＩＰｖ６プロトコル（ＰＭＩＰｖ６）アーキテクチャにおいて、前記システムは、モバイルアクセスゲートウェイ（ＭＡＧ）とローカルモビリティアンカー（ＬＭＡ）を含み、汎用パケット無線サービストンネリングプロトコル（ＧＴＰ）アーキテクチャにおいて、前記システムは本側ＧＴＰピアと相手側ＧＴＰピアを含むアクセスネットワークの位置情報を通知するシステムにおいて、
前記ＭＡＧは、回路識別子を、プロキシバインディング更新メッセージにキャリーして前記ＬＭＡに送信するように構成され、
前記ＬＭＡは、取得された回路識別子を、ポリシーシステム及び/または課金システムに送信し、前記ポリシーシステムが前記回路識別子に基づいて対応するポリシールールを策定または配置し、前記課金システムが前記回路識別子に基づいて課金を行うように構成され、
前記本側ＧＴＰピアは、回路識別子を、セッション確立要求メッセージ、ベアラ変更要求メッセージまたはセッション削除要求メッセージにキャリーして前記相手側ＧＴＰピアに送信するように構成され、
前記相手側ＧＴＰピアは、取得された回路識別子を、ポリシーシステム及び/または課金システムに送信し、前記ポリシーシステムが前記回路識別子に基づいて対応するポリシールールを策定または配置し、前記課金システムが前記回路識別子に基づいて課金を行うように構成されることを特徴とするシステム。
【請求項５】
前記ＬＭＡは、プロキシバインディング更新メッセージにキャリーされた回路識別子を取得し、取得された回路識別子を、プロキシバインディング確認（ＰＢＡ）メッセージにキャリーして前記ＭＡＧに返すように構成されることを特徴とする
請求項４に記載のシステム。
【請求項６】
前記相手側ＧＴＰピアは、取得された回路識別子を、対応するセッション確立応答メッセージ、ベアラ変更応答メッセージまたはセッション削除応答メッセージにキャリーして前記本側ＧＴＰピアに返すように構成されることを特徴とする
請求項４に記載のシステム。
【発明の詳細な説明】
【技術分野】
【０００１】
本発明は、通信分野に関し、特に、アクセスネットワークの位置情報を通知する方法及びシステムに関する。
【背景技術】
【０００２】
第三世代パートナーシッププロジェクト（３ＧＰＰ：３ｒｄ Ｇｅｎｅｒａｔｉｏｎ Ｐａｒｔｎｅｒｓｈｉｐ Ｐｒｏｊｅｃｔ）発展型パケットシステム（ＥＰＳ：Ｅｖｏｌｖｅｄ Ｐａｃｋｅｔ Ｓｙｓｔｅｍ）は、発展型ユニバーサル移動体通信システムの地上無線アクセスネットワーク（Ｅ-ＵＴＲＡＮ：Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ）、モビリティ管理エンティティ（ＭＭＥ：Ｍｏｂｉｌｉｔｙ Ｍａｎａｇｅｍｅｎｔ Ｅｎｔｉｔｙ）、サービングゲートウェイ（Ｓ-ＧＷ：Ｓｅｒｖｉｎｇ Ｇａｔｅｗａｙ）、パケットデータネットワークゲートウェイ（Ｐ-ＧＷ：Ｐａｃｋｅｔ Ｄａｔａ Ｎｅｔｗｏｒｋ Ｇａｔｅｗａｙ）、ホーム加入者サーバー（ＨＳＳ：Ｈｏｍｅ Ｓｕｂｓｃｒｉｂｅｒ Ｓｅｒｖｅｒ）、ポリシー及び課金ルール機能（ＰＣＲＦ：Ｐｏｌｉｃｙ ａｎｄ Ｃｈａｒｇｉｎｇ Ｒｕｌｅｓ Ｆｕｎｃｔｉｏｎ）エンティティ及び他のサポートノードから構成される。
【０００３】
ここで、ＭＭＥは、モビリティ管理、非アクセスレイヤーシグナリングに対する処理及びユーザモビリティ管理コンテキストに対する管理などのコントロールサーフェスに係る仕事を担当し、Ｓ-ＧＷは、Ｅ-ＵＴＲＡＮに接続されるアクセスゲートウェイ設備であり、Ｅ-ＵＴＲＡＮとＰ-ＧＷの間にデータを転送し、かつページング待ちデータに対するキャッシュを担当する。Ｐ-ＧＷは、ＥＰＳとパケットデータネットワーク（ＰＤＮ：Ｐａｃｋｅｔ Ｄａｔａ Ｎｅｔｗｏｒｋ）のボーダーゲートウェイであり、ＰＤＮのアクセス、及びＥＰＳとＰＤＮの間のデータ転送などの機能を担当する。ＰＣＲＦは、ポリシー及び課金ルール機能エンティティであり、受信インタフェースＲｘとインターネットプロトコル（ＩＰ：Ｉｎｔｅｒｎｅｔ Ｐｒｏｔｏｃｏｌ）により、サービスネットワークに接続され、サービス情報を取得し、これ以外、Ｇｘ/Ｇｘａ/Ｇｘｃインターフェイスにより、ネットワークにおけるゲートウェイ設備に接続され、ＩＰベアラの確立開始を担当し、サービスデータのサービス品質（ＱｏＳ：Ｑｕａｌｉｔｙ ｏｆ Ｓｅｒｖｉｃｅ）を保証し、課金制御を行う。
【０００４】
ＥＰＳは、非３ＧＰＰネットワークとのインターワーキングをサポートし、Ｓ２ａ/Ｓ２ｂ/Ｓ２ｃインターフェイスにより、非３ＧＰＰネットワークとのインターワーキングを実現する。非３ＧＰＰネットワークは、信頼可能な非３ＧＰＰネットワークと信頼不可な非３ＧＰＰネットワークを含む。信頼可能な非３ＧＰＰネットワークのＩＰアクセスは、直接にＳ２ａインターフェイスを介してＰ-ＧＷに接続されることができる。信頼不可な非３ＧＰＰネットワークのＩＰアクセスは、発展型パケットデータゲートウェイ（ｅＰＤＧ：Ｅｖｏｌｖｅｄ Ｐａｃｋｅｔ Ｄａｔａ Ｇａｔｅｗａｙ）を介してＰ-ＧＷに接続される必要があり、ｅＰＤＧとＰ-ＧＷの間のインターフェイスは、Ｓ２ｂインターフェイスである。
【０００５】
プロキシモバイルＩＰｖ６プロトコル（ＰＭＩＰｖ６：Ｐｒｏｘｙ Ｍｏｂｉｌｅ ＩＰｖ６）は、ネットワークに基づくモバイルＩＰ管理プロトコルであり、ＰＭＩＰｖ６は、モバイル設備がいかなるモビリティ管理仕事に加入する必要がなく、ネットワークによってユーザ設備のモバイル管理を担当し、モバイル設備自身はモバイルによるレイヤー３接続の影響に対して感知しない。モビリティノード（ＭＮ：Ｍｏｂｉｌｉｔｙ Ｎｏｄｅ）に対して、どこに移動しても、ＭＮは、自己がホームリンク（Ｈｏｍｅ Ｌｉｎｋ）に位置すると考えられる。ＰＭＩＰｖ６に基づく３ＧＰＰのネットワークアーキテクチャは、下記の２つの肝心なノードを含む。
【０００６】
ローカルモビリティアンカー（ＬＭＡ：Ｌｏｃａｌ Ｍｏｂｉｌｉｔｙ Ａｎｃｈｏｒ）は、モビリティノードのホームエージェント（Ｈｏｍｅ Ａｇｅｎｔ）、ＭＮのホームアドレスのトポロジアンカー、モビリティノードを管理するバインディングルーティングである。３ＧＰＰネットワークにおけるパケットデータネットワークゲートウェイ（Ｐ-ＧＷ）は、ＬＭＡ機能を提供し、ＭＮとパケットデータネットワークの間のデータ転送を担当する。
【０００７】
モバイルアクセスゲートウェイ（ＭＡＧ：Ｍｏｂｉｌｅ Ａｃｃｅｓｓ Ｇａｔｅｗａｙ）は、モバイルスイッチングによるネットワークレイヤーの変化をシールドし、ＭＮの代わりにバインディング更新の仕事を完了する。３ＧＰＰネットワークアーキテクチャにおいて、対応するネットワークエレメントサービングゲートウェイ（Ｓ-ＧＷ）、信頼な非３ＧＰＰ ＩＰアクセスネットワーク、ｅＰＤＧは、ＭＡＧ機能を提供する。
【０００８】
ＬＭＡとＭＡＧの間は、プロキシバインディング更新（ＰＢＵ：Ｐｒｏｘｙ Ｂｉｎｄｉｎｇ Ｕｐｄａｔｅ）メッセージとプロキシバインディング確認（ＰＢＡ：Ｐｒｏｘｙ Ｂｉｎｄｉｎｇ Ａｃｋｎｏｗｌｅｄｇｅｍｅｎｔ）メッセージにより、プロキシモバイル管理を実現する。ＰＢＵメッセージは、ＭＡＧによりＬＭＡに送信され、ＰＢＡメッセージは、ＬＭＡによりＭＡＧに送信され、この２つのメッセージは、メッセージ対になるように表示される。ＭＡＧは、ＰＢＵメッセージにより自己のプロキシアドレスとユーザ設備ＭＮのホームアドレスとのバインディング関係をＬＭＡに送信し、ＬＭＡは、当該バインディング関係を記憶してＭＮの上りリンクおよび下りリンクメッセージを正しくルーティングして転送する。ＰＢＵメッセージは、主に、バインディング更新、バインディング周期更新、バインディングの取り消しのためであり、対応するＬＭＡは、ＭＡＧにＰＢＡメッセージを送信することによりＰＢＵメッセージを確認する。
【０００９】
上述したように、ＰＭＩＰｖ６は、ネットワークのモビリティ管理プロトコルに基づく複数のネットワーク配備の場合、例えば無線ローカルエリアネットワーク（ＷＬＡＮ：Ｗｉｒｅｌｅｓｓ Ｌｏｃａｌ Ａｒｅａ Ｎｅｔｗｏｒｋｓ）アーキテクチャに使用されることができる。現在、ＬＭＡが、接続される異なるアクセスネットワークにより、異なるサービスとポリシーのストリームを区別して伝送することができることが要求されるネットワークアーキテクチャは、ますます多い。例えば、３ＧＰＰモバイルネットワークシステムにおいて、ポリシーと課金制御アーキテクチャ（ＰＣＣ：Ｐｏｌｉｃｙ ａｎｄ Ｃｈａｒｇｉｎｇ Ｃｏｎｔｒｏｌ Ｆｒａｍｅｗｏｒｋ）及びアクセスネットワーク発見と選択機能（ＡＮＤＳＦ：Ａｃｃｅｓｓ Ｎｅｔｗｏｒｋ Ｄｉｓｃｏｖｅｒｙ ａｎｄ Ｓｅｌｅｃｔｉｏｎ Ｆｕｎｃｔｉｏｎ）は、アクセスネットワーク情報に基づいて、ポリシールールを決定して提供する必要がある。例えば、ローミングユーザと非ローミングユーザに対して異なる伝送品質のサービスを提供し、または、ＷＬＡＮアクセス場合で異なるサービスセット識別子（ＳＳＩＤ：Ｓｅｒｖｉｃｅ Ｓｅｔ Ｉｄｅｎｔｉｆｉｅｒｓ）が異なるポリシーサービスを提供する。従来のＰＭＩＰｖ６において、ＭＡＧは、ＬＭＡに下記のようなアクセスネットワーク（位置）情報を提供することができる。
【００１０】
Ｎｅｔｗｏｒｋ-Ｉｄｅｎｔｉｆｉｅｒ（ＳＳＩＤまたはローミングエリアのＰＬＭＮ情報、ＰＬＭＮＩＤ）、
Ａｃｃｅｓｓ-Ｐｏｉｎｔ-Ｎａｍｅ（ＡＰのＭＡＣアドレス）、
Ｏｐｅｒａｔｏｒ-Ｉｄｅｎｔｉｆｉｅｒ（ＡＰオペレータ情報）、
Ｇｅｏ-Ｌｏｃａｔｉｏｎ（ユーザのＧＰＳ位置情報）。
【００１１】
ネットワーク技術の発展及びサービスに対するユーザの要求に伴い、ホームネットワークにおける端末設備は、段々多様化、更に知能化になっている。ホームゲートウェイ（ＲＧ：Ｒｅｓｉｄｅｎｔｉａｌ Ｇａｔｅｗａｙ）は、集中型知能インターフェイスとして、ホームネットワークと外部のネットワークを関連付け、ホームネットワークに接続、全体制御及び協調を提供する。現在、国際標準化機構ブロードバンドフォーラム（ＢＢＦ：Ｂｒｏａｄｂａｎｄ Ｆｏｒｕｍ）は、ホームゲートウェイ、ホーム端末設備に対する認証の標準化を行いつつあり、ホーム端末設備がＲＧを介してＢＢＦネットワークからアクセスすることに対する認証過程は、関連場合に含まれる。この場合において、図１に示すように、図１は端末設備がＢＢＦ固定電話網からＥＰＣに接続されるアーキテクチャを示す図であり、回路識別子（Ｃｉｒｃｕｉｔ ＩＤ）は、アクセスネットワークの位置情報とすることができる。ここのＣｉｒｃｕｉｔ ＩＤは、
ルーターインタフェース番号（Ｒｏｕｔｅｒ ｉｎｔｅｒｆａｃｅ ｎｕｍｂｅｒ）、スイッチングハブポート番号（Ｓｗｉｔｃｈｉｎｇ Ｈｕｂ ｐｏｒｔ ｎｕｍｂｅｒ）、リモートアクセスサーバーポート番号（Ｒｅｍｏｔｅ Ａｃｃｅｓｓ Ｓｅｒｖｅｒ ｐｏｒｔ ｎｕｍｂｅｒ）、フレームリレーデータリンク接続識別子（Ｆｒａｍｅ Ｒｅｌａｙ Ｄａｔａ Ｌｉｎｋ ｃｏｎｎｅｃｔｉｏｎ ｉｄｅｎｔｉｆｉｅｒ）、非同期転送モード（ＡＴＭ：Ａｓｙｎｃｈｒｏｎｏｕｓ Ｔｒａｎｓｆｅｒ Ｍｏｄｅ）仮想回路番号（ＡＴＭ ｖｉｒｔｕａｌ ｃｉｒｃｕｉｔ ｎｕｍｂｅｒ）、ケーブルデータ仮想回路番号（Ｃａｂｌｅ Ｄａｔａ ｖｉｒｔｕａｌ Ｃｉｒｃｕｉｔ ｎｕｍｂｅｒ）のうちの何れかの１つまたはいくつかの組み合わせであってもよい。
【００１２】
例を挙げ説明し、図１に示すアーキテクチャにおけるＲＧからアクセスネットワーク（ＡＮ：、Ａｃｃｅｓｓ Ｎｅｔｗｏｒｋ）までの回路がＡＴＭ/デジタルユーザ回路（ＤＳＬ：Ｄｉｇｉｔａｌ Ｓｕｂｓｃｒｉｂｅｒ Ｌｉｎｅ）であると、この場合にＲＧを介してネットワークに接続されるユーザは、ａｔｍ ｓｌｏｔ/ｐｏｒｔ:ｖｐｉ.ｖｃｉ、例えばａｔｍ ３/０:１００.３３（ｓｌｏｔ ＝ ３、ｐｏｒｔ ＝ ０、ｖｐｉ ＝ １００、ｖｃｉ ＝ ３３）により識別することができる。その中、スロットは、スロット番号であり、ポートは、ポート番号であり、ＶＰＩは、仮想パス識別子（ｖｉｒｔｕａｌ ｐａｔｈ ｉｄｅｎｔｉｆｉｅｒ）であり、ｖｃｉは、仮想チャネル識別子（ｖｉｒｔｕａｌ ｃｈａｎｎｅｌ ｉｄｅｎｔｉｆｉｅｒ）である。
【００１３】
これにより示すように、Ｃｉｒｃｕｉｔ ＩＤもユーザにより利用されるネットワークの位置を識別する情報であり、従来のＰＭＩＰｖ６アーキテクチャにおいて、ＭＡＧは、Ｃｉｒｃｕｉｔ ＩＤをＬＭＡに通知することをサポートしない。汎用データ転送プラットフォーム（ＧＴＰ：Ｇｅｎｅｒａｌ Ｄａｔａ Ｔｒａｎｓｆｅｒ Ｐｌａｔｆｏｒｍ）アーキテクチャにおいて、ＧＴＰピアは、Ｃｉｒｃｕｉｔ ＩＤを相手側ＧＴＰピアに通知することをサポートしない。このように、実用化に不便を与える。
【発明の概要】
【発明が解決しようとする課題】
【００１４】
これを鑑みて、本発明の実施形態の主な目的は、ＰＭＩＰｖ６アーキテクチャにおいてＭＡＧがＵＥのアクセスネットワークの位置情報をＬＭＡに通知することができ、ＧＴＰアーキテクチャにおいてＧＴＰピアがＵＥのアクセスネットワークの位置情報を相手側ＧＴＰピアに通知することができることを、実現するように、アクセスネットワークの位置情報を通知する方法及びシステムを提供することにある。
【課題を解決するための手段】
【００１５】
上記目的を達成するために、本発明の技術的スキームは、次のように実現される。
【００１６】
本発明の実施形態に係るアクセスネットワークの位置情報を通知する方法は、
モバイルアクセスゲートウェイ（ＭＡＧ）が回路識別子をプロキシモバイルＩＰｖ６プロトコル（ＰＭＩＰｖ６）のプロキシバインディング更新メッセージにキャリーしてローカルモビリティアンカー（ＬＭＡ）に送信するステップと、
本側汎用パケット無線サービストンネリングプロトコル（ＧＴＰ）ピアは、回路識別子を、セッション確立要求メッセージ、ベアラ変更要求メッセージまたはセッション削除要求メッセージにキャリーして相手側ＧＴＰピアに送信するステップと、を含む。
【００１７】
ここで、ＭＡＧが回路識別子を、プロキシバインディング更新メッセージにキャリーしてＬＭＡに送信した後、当該方法は、さらに、
前記ＬＭＡがプロキシバインディング更新メッセージにキャリーされた回路識別子を取得し、取得された回路識別子を、プロキシバインディング確認（ＰＢＡ）メッセージにキャリーして前記ＭＡＧに返すステップを含む。
【００１８】
ここで、ＭＡＧが回路識別子を、プロキシバインディング更新メッセージにキャリーしてＬＭＡに送信した後、当該方法は、
前記ＬＭＡがプロキシバインディング更新メッセージにキャリーされた回路識別子を取得し、取得された回路識別子を、ポリシーシステム及び/または課金システムに送信するステップと、
前記ポリシーシステムが前記回路識別子に基づいて対応するポリシールールを策定または配置し、前記課金システムが前記回路識別子に基づいて課金を行うステップと、を含む。
【００１９】
ここで、本側ＧＴＰピアが回路識別子を、セッション確立要求メッセージ、ベアラ変更要求メッセージまたはセッション削除要求メッセージにキャリーして相手側ＧＴＰピアに送信した後、当該方法は更に、
前記相手側ＧＴＰピアがセッション確立要求メッセージ、ベアラ変更要求メッセージまたはセッション削除要求メッセージにキャリーされた回路識別子を取得し、取得された回路識別子を、対応するセッション確立応答メッセージ、ベアラ変更応答メッセージまたはセッション削除応答メッセージにキャリーして前記本側ＧＴＰピアに返すステップを含む。
【００２０】
ここで、本側ＧＴＰピアが回路識別子を、セッション確立要求メッセージ、ベアラ変更要求メッセージまたはセッション削除要求メッセージにキャリーして相手側ＧＴＰピアに送信した後、当該方法は更に、
前記相手側ＧＴＰピアがセッション確立要求メッセージ、ベアラ変更要求メッセージまたはセッション削除要求メッセージにキャリーされた回路識別子を取得し、取得された回路識別子を、ポリシーシステム及び/または課金システムに送信するステップと、
前記ポリシーシステムが前記回路識別子に基づいて対応するポリシールールを策定または配置し、前記課金システムが前記回路識別子に基づいて課金を行うステップと、を含む。
【００２１】
本発明の実施形態に係るアクセスネットワークの位置情報を通知するシステムは、プロキシモバイルＩＰｖ６プロトコル（ＰＭＩＰｖ６）アーキテクチャにおいて、モバイルアクセスゲートウェイ（ＭＡＧ）とローカルモビリティアンカー（ＬＭＡ）を含み、汎用パケット無線サービストンネリングプロトコル（ＧＴＰ）アーキテクチャにおいて、本側ＧＴＰピアと相手側ＧＴＰピアを含む。
【００２２】
前記ＭＡＧは、回路識別子を、プロキシバインディング更新メッセージにキャリーして前記ＬＭＡに送信するように構成される。
【００２３】
前記本側ＧＴＰピアは、回路識別子を、セッション確立要求メッセージ、ベアラ変更要求メッセージまたはセッション削除要求メッセージにキャリーして前記相手側ＧＴＰピアに送信するように構成される。
【００２４】
ここで、前記ＬＭＡは、プロキシバインディング更新メッセージにキャリーされた回路識別子を取得し、取得された回路識別子を、プロキシバインディング確認（ＰＢＡ）メッセージにキャリーして前記ＭＡＧに返すように構成される。
【００２５】
ここで、前記ＬＭＡは、取得された回路識別子を、ポリシーシステムおよび/または課金システムに送信し、前記ポリシーシステムが前記回路識別子に基づいて対応するポリシールールを策定または配置し、前記課金システムが前記回路識別子に基づいて課金を行うように構成される。
【００２６】
ここで、前記相手側ＧＴＰピアは、取得された回路識別子を、対応するセッション確立応答メッセージ、ベアラ変更応答メッセージまたはセッション削除応答メッセージにキャリーして前記本側ＧＴＰピアに返すように構成される。
【００２７】
ここで、前記相手側ＧＴＰピアは、取得された回路識別子を、ポリシーシステムおよび/または課金システムに送信し、前記ポリシーシステムが前記回路識別子に基づいて対応するポリシールールを策定または配置し、前記課金システムは前記回路識別子に基づいて課金を行うように構成される。
【００２８】
本発明の実施形態に係るアクセスネットワークの位置情報を通知する方法及びシステムにより、ＰＭＩＰｖ６アーキテクチャにおいてＭＡＧがＵＥのアクセスネットワークの位置情報をＬＭＡに通知することができ、ＧＴＰアーキテクチャにおいてＧＴＰピアがＵＥのアクセスネットワークの位置情報を相手側ＧＴＰピアに通知することができることが実現される。
【図面の簡単な説明】
【００２９】
【図１】従来技術における端末設備がＢＢＦ固定電話網によりＥＰＣに接続されるアーキテクチャを示す図である；
【図２】本発明の実施形態に係るＲＧブリッジ接続モードにおいて、ＵＥが固定電話網によりＥＰＣに接続されるフローチャートである；
【図３】本発明の実施形態に係るＲＧルーティングモードにおいて、ＵＥが固定電話網によりＥＰＣに接続されるフローチャートである。
【発明を実施するための形態】
【００３０】
以下、図面と本発明の具体的な実施形態を参照して本発明の技術的スキームをさらに詳しく説明する。
【００３１】
本発明の実施形態に係るアクセスネットワークの位置情報を通知する方法は、主に、
プロキシモバイルＩＰｖ６プロトコル（ＰＭＩＰｖ６）アーキテクチャにおいて、ＭＡＧが回路識別子を、プロキシバインディング更新（ＭＡＧ）メッセージにキャリーしてＬＭＡに送信するステップと、
ＧＴＰアーキテクチャにおいて、本側ＧＴＰピアが回路識別子を、セッション確立要求（Ｃｒｅａｔｅ Ｓｅｓｓｉｏｎ Ｒｅｑｕｅｓｔ）メッセージ、ベアラ変更要求メッセージ（Ｍｏｄｉｆｙ Ｂｅａｒｅｒ Ｒｅｑｕｅｓｔ）メッセージまたはセッション削除要求（Ｄｅｌｅｔｅ Ｓｅｓｓｉｏｎ Ｒｅｑｕｅｓｔ）メッセージにキャリーして相手側ＧＴＰピアに送信するステップと、を含む。
【００３２】
ここで、ＭＡＧが回路識別子を、ＰＢＵメッセージにキャリーしてＬＭＡに送信した後、当該方法は、更に、
ＬＭＡがＰＢＵメッセージにキャリーされた回路識別子を取得し、取得された回路識別子を、ＰＢＡメッセージにキャリーしてＭＡＧに返すステップを含む。
【００３３】
ＭＡＧが回路識別子を、ＰＢＵメッセージにキャリーしてＬＭＡに送信した後、当該方法は、更に、
前記ＬＭＡがプロキシバインディング更新メッセージにキャリーされた回路識別子を取得し、取得された回路識別子を、ポリシーシステム及び/または課金システム（例えば、オンライン/オフライン課金システム：Ｏｎｌｉｎｅ/Ｏｆｆｌｉｎｅ Ｃｈａｒｇｉｎｇ Ｓｙｓｔｅｍ）に送信するステップと、
前記ポリシーシステムが前記回路識別子に基づいて対応するポリシールールを策定または配置し、前記課金システムが前記回路識別子に基づいて課金を行うステップと、を含む。
【００３４】
ここで、本側ＧＴＰピアが回路識別子を、セッション確立要求メッセージ、ベアラ変更要求メッセージまたはセッション削除要求メッセージにキャリーして相手側ＧＴＰピアに送信した後、当該方法は、更に、
相手側ＧＴＰピアがセッション確立要求メッセージ、ベアラ変更要求メッセージまたはセッション削除要求メッセージにキャリーされた回路識別子を取得し、取得された回路識別子を、対応する確立セッション応答（Ｃｒｅａｔｅ Ｓｅｓｓｉｏｎ Ｒｅｓｐｏｎｓｅ）メッセージ、ベアラ補正応答（Ｍｏｄｉｆｙ Ｂｅａｒｅｒ Ｒｅｓｐｏｎｓｅ）メッセージまたはセッション削除応答（Ｄｅｌｅｔｅ Ｓｅｓｓｉｏｎ Ｒｅｓｐｏｎｓｅ）メッセージにキャリーして前記本側ＧＴＰピアに返すステップとを含む。
【００３５】
本側ＧＴＰピアが回路識別子を、セッション確立要求メッセージ、ベアラ変更要求メッセージまたはセッション削除要求メッセージにキャリーして相手側ＧＴＰピアに送信した後、当該方法は、更に、
相手側ＧＴＰピアがセッション確立要求メッセージ、ベアラ変更要求メッセージまたはセッション削除要求メッセージにキャリーされた回路識別子を取得し、取得された回路識別子を、ポリシーシステム及び/または課金システムに送信するステップと、
前記ポリシーシステムが前記回路識別子に基づいて対応するポリシールールを策定または配置し、前記課金システムが前記回路識別子に基づいて課金を行うステップと、を含む。
【００３６】
以下、具体的な実施形態を組合せて上記のアクセスネットワークの位置情報を通知する方法を更に詳しく説明する。
【００３７】
図２に示すように、ＲＧブリッジ接続モードにおいて、端末設備（ＵＥ）は、固定電話網によりＥＰＣに接続され、ＵＥのために固定電話網を提供して、ＥＰＣに接続されるＴＷＡＧとブロードバンドリモートアクセスサーバー（ＢＲＡＳ:Ｂｒｏａｄｂａｎｄ Ｒｅｍｏｔｅ Ａｃｃｅｓｓ Ｓｅｒｖｅｒ）設備を合併に設置し、ＴＷＡＧからＰ-ＧＷまでＳ２ａインターフェイス（信頼な非３ＧＰＰアクセスネットワークとＰ-ＧＷの間のインターフェイス）が使用され、ＰＭＩＰｖ６プロトコルが使用されている。ブリッジ接続モードにおいて、ＲＧを介して接続される各設備は、それぞれ１つのＣｉｒｃｕｉｔ ＩＤに対応する。具体的な実施ステップは、下記のステップを含む。
【００３８】
ステップ２０１、ＵＥは、信頼可能なＷＬＡＮシステムとレイヤ２接続確立プロセスを実行し、この過程において、ＴＷＡＧは、ＲＧより送信されるＵＥに対応するＣｉｒｃｕｉｔ ＩＤを受信する。
【００３９】
ステップ２０２、ＵＥは、３ＧＰＰ ＡＡＡサーバーに拡張認証プロトコル（ＥＡＰ：Ｅｘｔｅｎｓｉｂｌｅ Ａｕｔｈｅｎｔｉｃａｔｉｏｎ Ｐｒｏｔｏｃｏｌ）の認証許可プロセスを開始する。
【００４０】
ステップ２０３、ＥＡＰ認証許可メッセージは、ＴＷＡＧがＰ-ＧＷにＰＭＩＰｖ６セッション確立プロセスを開始することをトリガし、ＴＷＡＧは、Ｃｉｒｃｕｉｔ ＩＤをＰＢＵメッセージにキャリーしてＰ-ＧＷに送信する。
【００４１】
ステップ２０４、Ｐ-ＧＷは、ＰＢＵメッセージを受信した後にローカルバインディング関連エントリを確立し、Ｃｉｒｃｕｉｔ ＩＤとＰＭＩＰｖ６をバインディングして関連付け、Ｐ-ＧＷとＰＣＲＦの間にＩＰ−ＣＡＮセッションの確立操作を実行し、この過程において、Ｐ-ＧＷは、Ｃｉｒｃｕｉｔ ＩＤをＰＣＲＦ（即ち上記のポリシーシステム）に送信し、ＰＣＲＦは、Ｃｉｒｃｕｉｔ ＩＤに基づいて関連するポリシールールを策定する。
【００４２】
ステップ２０５、システムがオンライン課金を使用すると、Ｐ-ＧＷは、Ｃｉｒｃｕｉｔ ＩＤをクレジット要求メッセージにキャリーしてオンライン課金システム（ＯＣＳ：Ｏｎｌｉｎｅ Ｃｈａｒｇｉｎｇ Ｓｙｓｔｅｍ）に送信する。
【００４３】
ステップ２０６、オンライン課金システムは、受信されたＣｉｒｃｕｉｔ ＩＤに基づいて課金を行い、Ｐ-ＧＷに返されたクレジット応答メッセージにＣｉｒｃｕｉｔ ＩＤを含ませて確認する。
【００４４】
ステップ２０７、Ｐ-ＧＷは、３ＧＰＰ ＡＡＡサーバーにより、ＨＳＳにＰ-ＧＷアドレス情報を更新する。
【００４５】
ステップ２０８、Ｐ-ＧＷは、受信されたＣｉｒｃｕｉｔ ＩＤをＰＢＡメッセージに含ませてＴＷＡＧに返して確認する。
【００４６】
ステップ２０９、ＵＥは、認証許可成功メッセージを受信してＥＰＣへの接続確立プロセスを完了する。
【００４７】
上記のプロセスにおいて、ＴＷＡＧ/ＢＲＡＳは、ＰＭＩＰｖ６アーキテクチャにおけるＭＡＧとして、Ｐ-ＧＷはＰＭＩＰｖ６アーキテクチャにおけるＬＭＡとする。
【００４８】
図３に示すように、ＲＧルーティングモードにおいて、ＵＥは、固定電話網によりＥＰＣに接続され、ＵＥに固定電話網を提供してＥＰＣに接続されるＴＷＡＧとＢＲＡＳ設備を合併して設置し、ＴＷＡＧからＰ-ＧＷまでＳ２ａインターフェイス（信頼な非３ＧＰＰアクセスネットワークとＰ-ＧＷの間のインターフェイス）が使用され、ＧＴＰモバイル管理プロトコルが使用される。ルーティングモードにおいて、ブロードバンドネットワークサービスゲートウェイ（ＢＮＧ：Ｂｒｏａｄｂａｎｄ Ｎｅｔｗｏｒｋ Ｇａｔｅｗａｙ）は、ＲＧにパブリックアドレスを提供し、ＲＧは接続された設備にプライベートＩＰアドレスを割り当ててネットワークアドレス変換（ＮＡＴ：Ｎｅｔｗｏｒｋ Ａｄｄｒｅｓｓ Ｔｒａｎｓｌａｔｉｏｎ）機能を有する。ルーティングモードにおいて、ネットワークにとって、Ｃｉｒｃｕｉｔ ＩＤがＲＧのみを識別するので、ＢＮＧがＲＧに割り当てられるアドレスとＣｉｒｃｕｉｔ ＩＤは、すべてＲＧを識別でき、Ｃｉｒｃｕｉｔ ＩＤは、ＲＧの位置情報を示すことが多い。具体的な実施ステップは、下記のステップである。
【００４９】
ステップ３０１、ＵＥは、ＲＧに接続され、ＲＧはＵＥにローカルＩＰアドレスを割り当ててＷＬＡＮアクセスネットワークローカル認証を行い、この過程において、ＴＷＡＧは、ＲＧより送信されるＣｉｒｃｕｉｔ ＩＤ及び/またはＩＰアドレス（ＢＮＧがＲＧに割り当てるＩＰアドレス）を受信する。
【００５０】
ステップ３０２、ＵＥは、３ＧＰＰ ＡＡＡサーバーにＥＡＰ認証許可プロセスを開始する。
【００５１】
ステップ３０３、ＥＡＰ認証許可メッセージは、ＴＷＡＧがＰ-ＧＷにＧＴＰセッション確立プロセスを開始することをトリガし、ＴＷＡＧは、Ｃｉｒｃｕｉｔ ＩＤ及び/またはＲＧのＩＰアドレス情報をセッション確立要求メッセージに含ませてＰ-ＧＷに送信する。
【００５２】
ステップ３０４、Ｐ-ＧＷは、セッション確立要求メッセージを受信した後、Ｃｉｒｃｕｉｔ ＩＤ及び/またはＲＧのＩＰアドレス情報とＧＴＰセッションを関連付け、Ｐ-ＧＷとＰＣＲＦの間にはＩＰ-ＣＡＮセッション確立操作が実行され、この過程において、Ｐ-ＧＷは、Ｃｉｒｃｕｉｔ ＩＤと/またはＲＧのＩＰ情報をＰＣＲＦ（即ち上記のポリシーシステム）に送信し、ＰＣＲＦは、Ｃｉｒｃｕｉｔ ＩＤ及び/またはＲＧのＩＰ情報に基づいて関連するポリシールールを策定する。
【００５３】
ステップ３０５、Ｐ-ＧＷは、３ＧＰＰ ＡＡＡサーバーにより、ＨＳＳにＰ-ＧＷアドレス情報を更新する。
【００５４】
ステップ３０６、Ｐ-ＧＷは、受信されたＣｉｒｃｕｉｔ ＩＤ及び/またはＲＧのＩＰ情報をセッション確立応答メッセージに含ませてＴＷＡＧに返して確認する。
【００５５】
ステップ３０７、ＵＥは、認証許可成功メッセージを受信してＥＰＣへの接続プロセスを完了する。
【００５６】
上記のプロセスにおいて、ＴＷＡＧ/ＢＲＡＳ/ＢＮＧは、ＰＭＩＰｖ６アーキテクチャにおけるＭＡＧとし、Ｐ-ＧＷは、ＰＭＩＰｖ６アーキテクチャにおけるＬＭＡとする。
【００５７】
本発明に係るアクセスネットワークの位置情報を通知する方法の実施形態に対応して、本発明は、更にアクセスネットワークの位置情報を通知するシステムの実施形態を提供し、ＰＭＩＰｖ６アーキテクチャにおいて、前記システムは、ＭＡＧとＬＭＡを含み、ＧＴＰアーキテクチャにおいて、前記システムは、本側ＧＴＰピアと相手側ＧＴＰピアを含む。
【００５８】
ＰＭＩＰｖ６アーキテクチャにおいて、前記ＭＡＧは、回路識別子を、プロキシバインディング更新メッセージにキャリーして前記ＬＭＡに送信するように配置される。
【００５９】
ＧＴＰアーキテクチャにおいて、前記本側ＧＴＰピアは、回路識別子を、セッション確立要求メッセージ、ベアラ変更要求メッセージまたはセッション削除要求メッセージにキャリーして前記相手側ＧＴＰピアに送信するように配置される。
【００６０】
好ましくは、ＰＭＩＰｖ６アーキテクチャにおいて、前記ＬＭＡは、プロキシバインディング更新メッセージにキャリーされた回路識別子を取得し、取得された回路識別子を、ＰＢＡメッセージにキャリーして前記ＭＡＧに返すように配置される。
【００６１】
好ましくは、ＰＭＩＰｖ６アーキテクチャにおいて、前記ＬＭＡは、取得された回路識別子を、ポリシーシステムおよび/または課金システムに送信し、前記ポリシーシステムが前記回路識別子に基づいて対応するポリシールールを策定または配置し、前記課金システムが前記回路識別子に基づいて課金を行うように配置される。
【００６２】
好ましくは、ＧＴＰアーキテクチャにおいて、前記相手側ＧＴＰピアは、取得された回路識別子を、対応するセッション確立応答メッセージ、ベアラ変更応答メッセージまたはセッション削除応答メッセージにキャリーして前記本側ＧＴＰピアに返すように配置される。
【００６３】
ＧＴＰアーキテクチャにおいて、前記相手側ＧＴＰピアは、取得された回路識別子を、ポリシーシステムおよび/または課金システムに送信し、前記ポリシーシステムが前記回路識別子に基づいて対応するポリシールールを策定または配置し、前記課金システムは前記回路識別子に基づいて課金を行うように配置される。
【００６４】
以上は、本発明の最適的な実施形態に過ぎなく、本発明を制限することに用いられるものではない。本発明の主旨精神と原則以内に、いかなる改修、同等入れ替わり、改良等が、本発明の保護範囲以内に含まれるべきである。
【産業上の利用可能性】
【００６５】
本発明の実施形態では、ＰＭＩＰｖ６アーキテクチャにおいて、 ＭＡＧは、回路識別子を、プロキシバインディング更新メッセージにキャリーしてＬＭＡに送信し、ＧＴＰアーキテクチャにおいて、本側ＧＴＰピアは、回路識別子を、セッション確立要求メッセージ、ベアラ変更要求メッセージまたはセッション削除要求メッセージにキャリーして相手側ＧＴＰピアに送信する。このように、ＰＭＩＰｖ６アーキテクチャにおけるＭＡＧがＵＥのアクセスネットワークの位置情報をＬＭＡに通知することができ、ＧＴＰアーキテクチャにおいてＧＴＰピアがＵＥのアクセスネットワークの位置情報を相手側ＧＴＰピアに通知することができることが実現される。
【図１】
0005972467.tif 000002
【図２】
0005972467.tif 000003
【図３】
0005972467.tif 000004